(57)【要約】【課題】電子メールの送受信を行う上で、柔軟な運用を行いつつ、セキュリティー向上を図る。【解決手段】内部メールサーバ１０４は、クライアント端末１０１から送信された電子メールに添付ファイルが存在する場合（ステップＳ１０１〜ステップＳ１０２）、当該電子メールの宛先に対応するパスワードを特定して、特定されたパスワードを添付ファイルに設定し、当該パスワードが設定された電子メールを送信した後、このパスワードの通知用メールを生成し、同じ宛先に送信する（ステップＳ１０３〜ステップＳ１２４）。【選択図】図４
2014089535.tif 000002
【特許請求の範囲】
【請求項１】
電子メールに添付したファイルへ設定するパスワードを前記電子メールの宛先に応じて記憶する記憶手段と、
電子メールを受信するサーバメール受信手段と、
前記サーバメール受信手段によって受信した電子メールの宛先に対応するパスワードを前記記憶手段に記憶されたパスワードから取得するパスワード設定判定手段と、
前記パスワード設定判定手段によって取得したパスワードを前記添付したファイルに対して設定するメール生成手段と、
前記メール生成手段によって生成した電子メールを前記宛先に送信するサーバメール送信手段と、
を備えたことを特徴とする情報処理装置。
【請求項２】
前記パスワード設定判定手段によって電子メールの宛先に対応するパスワードが前記記憶手段から取得できた場合、前記メール生成手段は、前記パスワードを所定のパスワードとして前記添付したファイルに対して設定し、一方、前記パスワード設定判定手段によって電子メールの宛先に対応するパスワードが前記記憶手段から取得できない場合、前記メール生成手段は、ランダムにパスワードを自動生成して、前記添付したファイルに対して設定することを特徴とする請求項１に記載の情報処理装置。
【請求項３】
前記記憶手段に記憶したパスワードは、所定のパスワード、あるいは、電子メールを送信する度にランダムにパスワードを自動生成する旨を示す情報を記憶し、
前記パスワード設定判定手段によって前記記憶手段から所定のパスワードを取得した場合、前記メール生成手段は、前記所定のパスワードを前記添付したファイルに対して設定し、一方、前記パスワード設定判定手段によって前記記憶手段からランダムにパスワードを自動生成する旨を示す情報を取得した場合、前記メール生成手段は、ランダムにパスワードを自動生成して、前記添付したファイルに対して設定することを特徴とする請求項１または２に記載の情報処理装置。
【請求項４】
前記パスワード設定判定手段によって取得したパスワードが示されるパスワード通知用の電子メールを生成するパスワード通知メール生成手段と、
前記サーバメール送信手段によって電子メールを送信した後、前記パスワード通知メール生成手段によって生成したパスワード通知用の電子メールを前記宛先に送信するパスワード通知メール送信手段と、
を備えたことを特徴とする請求項１乃至３の何れか１項に記載の情報処理装置。
【請求項５】
前記パスワード通知メール送信手段は、前記宛先に前記所定のパスワードに関する前記パスワード通知用の電子メールを初回送信時のみ送信することを特徴とする請求項４に記載の情報処理装置。
【請求項６】
前記パスワード通知メール送信手段は、前記宛先に前記所定のパスワードに関する前記パスワード通知用の電子メールを送信してから所定期間経過した後、前記パスワード通知用の電子メールを送信することを特徴とする請求項５に記載の情報処理装置。
【請求項７】
前記記憶手段は、電子メールの送信元及び送信先のメールアドレスの組み合わせに対応して電子メールに添付したファイルへ設定するパスワードを記憶し、
前記パスワード設定判定手段は、前記サーバメール受信手段によって受信した電子メールの宛先及び送信元の組み合わせに対応するパスワードを前記記憶手段に記憶されたパスワードから取得することを特徴とする請求項１乃至６の何れか１項に記載の情報処理装置。
【請求項８】
前記パスワード設定判定手段によって、前記サーバメール受信手段によって受信した電子メールの宛先を複数取得した場合、前記メール生成手段は、前記パスワード設定判定手段によって取得した其々のパスワードを前記宛先の数の添付したファイルに対して設定することを特徴とする請求項１乃至７に記載の情報処理装置。
【請求項９】
前記パスワード設定判定手段によって、前記サーバメール受信手段によって受信した電子メールの宛先を複数取得した場合、前記パスワード通知メール生成手段は、宛先の数分、前記パスワード設定判定手段によって取得したパスワードが示されるそれぞれのパスワード通知用の電子メールを生成するパスワード通知メール生成手段を備えたことを特徴とする請求項４乃至８の何れか１項に記載の情報処理装置。
【請求項１０】
電子メールの送受信を行う複数のクライアント端末と情報処理装置とがネットワークを介して接続された情報処理システムであって、
前記クライアント端末は、
前記電子メールの送信を行うクライアントメール送信手段と、
サーバメール送信手段から前記電子メールの受信を行うクライアントメール受信手段と、
を備え、
前記情報処理装置は、
前記電子メールに添付したファイルへ設定するパスワードを前記電子メールの宛先に応じて記憶する記憶手段と、
前記クライアントメール送信手段から電子メールを受信するサーバメール受信手段と、
前記サーバメール受信手段によって受信した電子メールの宛先に対応するパスワードを前記記憶手段に記憶されたパスワードから取得するパスワード設定判定手段と、
前記パスワード設定判定手段によって取得したパスワードを前記添付したファイルに対して設定するメール生成手段と、
前記メール生成手段によって生成した電子メールを前記宛先から特定される前記クライアント端末に送信するサーバメール送信手段と、
を備えたことを特徴とする情報処理システム。
【請求項１１】
電子メールの送受信処理を行う情報処理装置の制御方法であって、
電子メールを受信するサーバメール受信ステップ、
前記サーバメール受信ステップによって受信した電子メールの宛先に対応するパスワードを電子メールに添付したファイルへ設定するパスワードを前記電子メールの宛先に応じて記憶する記憶手段に記憶されたパスワードから取得するパスワード設定判定ステップ、
前記パスワード設定判定ステップによって取得したパスワードを前記添付したファイルに対して設定するメール生成ステップ、
前記メール生成ステップによって生成した電子メールを前記宛先に送信するサーバメール送信ステップ、
を含むことを特徴とする情報処理装置の制御方法。
【請求項１２】
電子メールの送受信処理を行う情報処理装置で読取実行可能なプログラムであって、
電子メールを受信するサーバメール受信手段と、
前記サーバメール受信手段によって受信した電子メールの宛先に対応するパスワードを電子メールに添付したファイルへ設定するパスワードを前記電子メールの宛先に応じて記憶する記憶手段に記憶されたパスワードから取得するパスワード設定判定手段と、
前記パスワード設定判定手段によって取得したパスワードを前記添付したファイルに対して設定するメール生成手段と、
前記メール生成手段によって生成した電子メールを前記宛先に送信するサーバメール送信手段と、
して機能させることを特徴とするプログラム。
【請求項１３】
電子メールの送受信を行う複数のクライアント端末と情報処理装置とがネットワークを介して接続された情報処理システムの制御方法であって、
前記クライアント端末は、
前記電子メールの送信を行うクライアントメール送信ステップ、
サーバメール送信ステップから前記電子メールの受信を行うクライアントメール受信ステップ、
を含み、
前記情報処理装置は、
前記クライアントメール送信ステップから電子メールを受信するサーバメール受信ステップ、
前記サーバメール受信ステップによって受信した電子メールの宛先に対応するパスワードを前記電子メールに添付したファイルへ設定するパスワードを前記電子メールの宛先に応じて記憶する記憶手段に記憶されたパスワードから取得するパスワード設定判定ステップ、
前記パスワード設定判定ステップによって取得したパスワードを前記添付したファイルに対して設定するメール生成ステップ、
前記メール生成ステップによって生成した電子メールを前記宛先から特定される前記クライアント端末に送信するサーバメール送信ステップ、
を含むことを特徴とする情報処理システムの制御方法。
【請求項１４】
電子メールの送受信を行う複数のクライアント端末と情報処理装置とがネットワークを介して接続された情報処理システムにおいて読取実行可能なプログラムであって、
前記クライアント端末を、
前記電子メールの送信を行うクライアントメール送信手段と、
サーバメール送信手段から前記電子メールの受信を行うクライアントメール受信手段と、
して機能させ、
前記情報処理装置を、
前記クライアントメール送信手段から電子メールを受信するサーバメール受信手段と、
前記サーバメール受信手段によって受信した電子メールの宛先に対応するパスワードを前記電子メールに添付したファイルへ設定するパスワードを前記電子メールの宛先に応じて記憶する記憶手段に記憶されたパスワードから取得するパスワード設定判定手段と、
前記パスワード設定判定手段によって取得したパスワードを前記添付したファイルに対して設定するメール生成手段と、
前記メール生成手段によって生成した電子メールを前記宛先から特定される前記クライアント端末に送信するサーバメール送信手段と、
して機能させることを特徴とするプログラム。
【発明の詳細な説明】
【技術分野】
【０００１】
本発明は、メールに添付されたファイルの暗号化に関するものである。
【背景技術】
【０００２】
近年、電子メールシステムでは、ネットワークを介して、クライアント端末間での電子メールの送受信が行われているが、遠方と情報をかわす上では、非常に利便性の高いツールとして、利用されている。
【０００３】
しかしながら、緊急時など、電子メールに機密性の高い情報を含ませて、相手先とやり取りを行うケースも度々発生し、この場合、送信された電子メールが、相手先のメールサーバへ送信される過程で、盗聴や改竄等が行われ、機密性の高い情報を安全に送信することができない、というリスクを抱えてしまう。
【０００４】
そこで、電子メールを暗号化する手法が幾つも提案され、例えば、ＰＧＰ（Pretty Good Privacy）やS／MIME（Secure/Multipurpose Internet Mail Extensions）等の方法が提案されているが、これらの方法は、送受信側の双方で暗号化、複合化を行うことで、前述のようなリスクを回避している。
【０００５】
このような手法を用いるには、各クライアント端末に対して、暗号化、及び複合化を行うための機能を提供するソフトウェアを導入する必要があり、これらのソフトウェアの導入の検討（費用や安全性等）、導入作業、及び導入後設定作業等、利用者にとっては、いささか不便な点があることは否めない。
【０００６】
しかしながら、電子メールの利用方法として、電子メールの本文には、機密性の低い、あるいは、ない情報を入力し、機密性の高い情報を含むファイルを電子メールに添付して送信する方法がある。
【０００７】
この場合、前述の手法のように、電子メールを全て暗号化する必要性は少なく、電子メールに添付されたファイルのみを暗号化することで対処することが可能であるため、電子メールの送受信を仲介するメールサーバ等で添付されたファイルを暗号化する仕組みが存在するが、このような構成に於いても、送受信側の双方のメールサーバに暗号化、及び複合化を行うための機能を提供するソフトウェアを導入する必要がある。
【０００８】
そこで、内部クライアントから外部クライアントへ電子メールを送信する際に、予め定めた固定パスワードを用いて、送信対象とする電子メールを暗号化して送信した後、当該固定パスワード等を含む通知メールも送信する技術が提示されている（例えば、特許文献１参照）。
【特許文献１】特開２００９−１７１５４２号公報
【発明の概要】
【発明が解決しようとする課題】
【０００９】
しかしながら、頻繁に電子メールのやり取りを行う者同士で、利用するパスワードを決めて運用を行うことが通常であり、特許文献１に記載の技術では、固定パスワードを送信先の外部クライアントへ通知するが、１つの固定パスワードを通知することが示されており、前述のような運用を行う場合には、不向きな構成が取られている。
【００１０】
このような特許文献１に記載の技術を用いれば、内部メールから送信された電子メールに対するパスワードが、このシステムを利用しているユーザに知れ渡り、誤って電子メールを想定外のユーザへ送信した場合、情報漏えい等のリスクが生じることとなる。
【００１１】
更に、特許文献１に記載の技術では、自動でパスワードを生成する構成が記載されており、情報漏えい等のリスクを軽減することが可能であるものの、前記のような運用を行う場合には、不向きな構成である。
【００１２】
本発明は、上記の課題を解決するためになされたものであり、電子メールの送受信を行う上で、柔軟な運用を行いつつ、セキュリティー向上を図ることが可能な情報処理装置、情報処理システム、制御方法、及びプログラムを提供することを目的とする。
【課題を解決するための手段】
【００１３】
上記の目的を達成するための第１の発明は、電子メールに添付したファイルへ設定するパスワードを前記電子メールの宛先に応じて記憶する記憶手段と、電子メールを受信するサーバメール受信手段と、前記サーバメール受信手段によって受信した電子メールの宛先に対応するパスワードを前記記憶手段に記憶されたパスワードから取得するパスワード設定判定手段と、前記パスワード設定判定手段によって取得したパスワードを前記添付したファイルに対して設定するメール生成手段と、前記メール生成手段によって生成した電子メールを前記宛先に送信するサーバメール送信手段と、を備えたことを特徴とする情報処理装置である。
【００１４】
上記の目的を達成するための第２の発明は、電子メールの送受信を行う複数のクライアント端末と情報処理装置とがネットワークを介して接続された情報処理システムであって、前記クライアント端末は、前記電子メールの送信を行うクライアントメール送信手段と、サーバメール送信手段から前記電子メールの受信を行うクライアントメール受信手段と、を備え、前記情報処理装置は、前記電子メールに添付したファイルへ設定するパスワードを前記電子メールの宛先に応じて記憶する記憶手段と、前記クライアントメール送信手段から電子メールを受信するサーバメール受信手段と、前記サーバメール受信手段によって受信した電子メールの宛先に対応するパスワードを前記記憶手段に記憶されたパスワードから取得するパスワード設定判定手段と、前記パスワード設定判定手段によって取得したパスワードを前記添付したファイルに対して設定するメール生成手段と、前記メール生成手段によって生成した電子メールを前記宛先から特定される前記クライアント端末に送信するサーバメール送信手段と、を備えたことを特徴とする情報処理システムである。
【００１５】
上記の目的を達成するための第３の発明は、電子メールの送受信処理を行う情報処理装置の制御方法であって、電子メールを受信するサーバメール受信ステップ、前記サーバメール受信ステップによって受信した電子メールの宛先に対応するパスワードを電子メールに添付したファイルへ設定するパスワードを前記電子メールの宛先に応じて記憶する記憶手段に記憶されたパスワードから取得するパスワード設定判定ステップ、前記パスワード設定判定ステップによって取得したパスワードを前記添付したファイルに対して設定するメール生成ステップ、前記メール生成ステップによって生成した電子メールを前記宛先に送信するサーバメール送信ステップ、を含むことを特徴とする情報処理装置の制御方法である。
【００１６】
上記の目的を達成するための第４の発明は、電子メールの送受信処理を行う情報処理装置で読取実行可能なプログラムであって、電子メールを受信するサーバメール受信手段と、前記サーバメール受信手段によって受信した電子メールの宛先に対応するパスワードを電子メールに添付したファイルへ設定するパスワードを前記電子メールの宛先に応じて記憶する記憶手段に記憶されたパスワードから取得するパスワード設定判定手段と、前記パスワード設定判定手段によって取得したパスワードを前記添付したファイルに対して設定するメール生成手段と、前記メール生成手段によって生成した電子メールを前記宛先に送信するサーバメール送信手段と、して機能させることを特徴とするプログラムである。
【００１７】
上記の目的を達成するための第５の発明は、電子メールの送受信を行う複数のクライアント端末と情報処理装置とがネットワークを介して接続された情報処理システムの制御方法であって、前記クライアント端末は、前記電子メールの送信を行うクライアントメール送信ステップ、サーバメール送信ステップから前記電子メールの受信を行うクライアントメール受信ステップ、を含み、前記情報処理装置は、前記クライアントメール送信ステップから電子メールを受信するサーバメール受信ステップ、前記サーバメール受信ステップによって受信した電子メールの宛先に対応するパスワードを前記電子メールに添付したファイルへ設定するパスワードを前記電子メールの宛先に応じて記憶する記憶手段に記憶されたパスワードから取得するパスワード設定判定ステップ、前記パスワード設定判定ステップによって取得したパスワードを前記添付したファイルに対して設定するメール生成ステップ、前記メール生成ステップによって生成した電子メールを前記宛先から特定される前記クライアント端末に送信するサーバメール送信ステップ、を含むことを特徴とする情報処理システムの制御方法である。
【００１８】
上記の目的を達成するための第６の発明は、電子メールの送受信を行う複数のクライアント端末と情報処理装置とがネットワークを介して接続された情報処理システムにおいて読取実行可能なプログラムであって、前記クライアント端末を、前記電子メールの送信を行うクライアントメール送信手段と、サーバメール送信手段から前記電子メールの受信を行うクライアントメール受信手段と、して機能させ、前記情報処理装置を、前記クライアントメール送信手段から電子メールを受信するサーバメール受信手段と、前記サーバメール受信手段によって受信した電子メールの宛先に対応するパスワードを前記電子メールに添付したファイルへ設定するパスワードを前記電子メールの宛先に応じて記憶する記憶手段に記憶されたパスワードから取得するパスワード設定判定手段と、前記パスワード設定判定手段によって取得したパスワードを前記添付したファイルに対して設定するメール生成手段と、前記メール生成手段によって生成した電子メールを前記宛先から特定される前記クライアント端末に送信するサーバメール送信手段と、して機能させることを特徴とするプログラムである。
【発明の効果】
【００１９】
本発明によれば、電子メールを送信した後、送信先のメールアドレスによって所定のパスワードを通知することで、電子メールの送受信を行う上で、柔軟な運用を行いつつ、セキュリティー向上を図ることができる、という効果を奏する。
【図面の簡単な説明】
【００２０】
【図１】本発明の実施形態に係る情報処理システムの概略構成を示す構成図である。
【図２】本発明の実施形態に係る各種端末のハードウェアの概略構成を示す構成図である。
【図３】本発明の実施形態に係る情報処理システムにおける機能構成を示す構成図である
【図４】本発明の実施形態に係る情報システムにおける電子メールのパスワード通知処理を示すフローチャートである。
【図５】本発明の実施形態に係るクライアント端末における電子メールの送信指示を行うための画面の構成を示す構成図である。
【図６】本発明の実施形態に係るクライアント端末における添付ファイルの所定パスワードが通知されたことの１例を示す画面の構成を表す構成図である。
【図７】本発明の実施形態に係るクライアント端末における添付ファイルの自動生成パスワードが通知されたことの１例を示す画面の構成を表す構成図である。
【図８】本発明の実施形態に係る情報処理システムにおける電子メールのパスワード通知処理で用いられるテーブルの構成を示す構成図である。
【図９】本発明の実施形態に係る情報処理システムにおける電子メールのパスワード通知処理で用いられるテーブルの構成を示す構成図である。
【発明を実施するための形態】
【００２１】
以下、図面を参照して、本発明の実施形態を詳細に説明する。
【００２２】
［第１の実施形態］
【００２３】
図１は、本発明の実施形態に係る情報処理システムにおけるシステム構成の一例を示す図である。尚、図１に示す各種端末の構成は一例であり、目的や用途に応じて様々な構成例があることは言うまでもない。
【００２４】
図１に示すように、本実施形態に係る情報処理システム１００には、クライアント端末１０１、システム管理者が利用する管理者用クライアント端末１０２、内部メールサーバ１０４が設置されており、それら端末は、ローカルエリアネットワーク（ＬＡＮ）１０３を介して相互に通信可能に接続されており、内部システムとして構築されている。
【００２５】
また、クライアント端末１０１は、広域ネットワーク１０５を介して、少なくとも１以上の外部メールサーバ１０６と相互に通信可能に接続されている。また、ＬＡＮ１０３と広域ネットワーク１０５との間には不図示のファイアウォール装置が設置されており、あらかじめ決められた規則に従った通信制御処理が行われている。
【００２６】
内部メールサーバ１０４は、クライアント端末１０１による電子メール中継のためのサーバ装置であり、クライアント端末１０１のＳＭＴＰ通信内容を特定し、その通信内容に応じて後述する各種の処理を行うことになる。
【００２７】
管理者用クライアント端末１０２は、内部メールサーバ１０４の設定、管理を行うことになる。
【００２８】
次に、図１に示す内部メールサーバ１０４の各種端末のハードウェア構成について、図２を用いて説明する。尚、クライアント端末１０１、及び管理者用クライアント端末１０２についても同様な構成を備えるため説明は省略する。
【００２９】
ＣＰＵ２０１は、システムバス２０４に接続される各デバイスやコントローラを統括的に制御する。また、ＲＯＭ２０２あるいは外部メモリ２１１には、ＣＰＵ２０１の制御プログラムであるＢＩＯＳ(Basic Input / Output System)やオペレーティングシステムプログラム（以下、ＯＳ）や、各サーバ或いは各クライアント装置の実行する機能を実現するために必要な後述する各種プログラム等が記憶されている。
【００３０】
ＲＡＭ２０３は、ＣＰＵ２０１の主メモリ、ワークエリア等として機能する。ＣＰＵ２０１は、処理の実行に際して必要なプログラム等をＲＡＭ２０３にロードして、プログラムを実行することで各種動作を実現するものである。
【００３１】
また、入力コントローラ（入力Ｃ）２０５は、キーボードや不図示のマウス等のポインティングデバイスを示す入力部２０９からの入力を制御する。ビデオコントローラ（ＶＣ）２０６は、ＣＲＴディスプレイ（ＣＲＴ）２１０等の表示器への表示を制御する。表示器はＣＲＴだけでなく、液晶ディスプレイでも構わない。
【００３２】
メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）やフロッピーディスク（登録商標  ＦＤ）或いはＰＣＭＣＩＡカードスロットにアダプタを介して接続されるコンパクトフラッシュ（登録商標）メモリ等の外部メモリ２１１へのアクセスを制御する。
【００３３】
通信Ｉ／Ｆコントローラ（通信Ｉ／ＦＣ）２０８は、ネットワークを介して、外部機器と接続・通信するものであり、ネットワークでの通信制御処理を実行する。例えば、ＴＣＰ／ＩＰを用いたインターネット通信等が可能である。
【００３４】
なお、ＣＰＵ２０１は、例えばＲＡＭ２０３内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。
【００３５】
本発明を実現するためのパスワード通知メールの送信処理を実行するためのプログラム等は、外部メモリ２１１に記憶されており、必要に応じてＲＡＭ２０３にロードされることによりＣＰＵ２０１によって実行される。
【００３６】
本発明に係わるパスワード通知メールの送信処理が用いる定義情報及び各種情報テーブルについても、外部メモリ２１１に記憶されている。これらについての詳細な説明は、後述する。
【００３７】
図３は、情報処理システム１００に係る機能構成を示す模式図であり、各々の機能に関して概要を説明する。尚、この模式図に限らず図４に示すフローチャートと合わせて、各機能内容を説明する。
【００３８】
図３に示すように、クライアント端末１０１は、クライアントメール送信手段３０１を備えており、クライアントメール送信手段３０１は、ＬＡＮ１０３を介して、内部メールサーバ１０４と接続されている。
【００３９】
クライアントメール送信手段３０１は、電子メールを送信指示するためのソフトウェアによって実現される機能を備えており、例えば、図５に示すメール作成画面５００を、ディスプレイ装置２１０に表示し、ユーザは、入力部２０９を用いて、電子メールの送信先アドレスを示す宛先５０１、及びＣＣ（Carbon Copy）５０２、電子メールのタイトルを示す件名５０３、電子メール本文５０４、電子メールに対して添付されたファイルを示す添付ファイル５０５等に対して、入力あるいは添付等を行う。
【００４０】
そして、ユーザは、電子メールを送信するにあたり、メール作成画面５００に備えられた送信ボタン５０６を押下することで、入力部２０９を用いて作成した電子メールを、宛先５０１及びＣＣ５０２に設定された送信先アドレスへ送信する。
【００４１】
また、メール作成画面５００は、添付ボタン５０７を備えており、ユーザは、添付ファイル５０５を電子メールに添付する際に、添付ボタン５０７を押下することにより、クライアント端末１０１に存在するファイルを指定するための画面（不図示）をディスプレイ装置２１０に表示し、当該画面に表示されたファイルから入力部２０９を用いて選択指定することで、添付対象となるファイルを電子メールへ添付する。
【００４２】
クライアント端末１０１は、クライアントメール受信手段３０２を備えており、クライアントメール受信手段３０２は、ネットワーク１０３を介して、内部メールサーバ１０４と接続されている。
【００４３】
クライアントメール受信手段３０２は、内部システムに存在するクライアント端末１０１や内部システム以外の外部システムに存在するクライアント端末から、内部メールサーバ１０４を介して、電子メールの受信を行う。
【００４４】
受信されたメールは、図５に示すメール作成画面５００の宛先５０１、ＣＣ５０２、件名５０３、電子メール本文５０４、及び添付ファイル５０５等の各項目を含んで、ディスプレイ装置２１０に表示され、ユーザは、受信された電子メールの内容を確認する。
【００４５】
内部メールサーバ１０４は、サーバメール受信手段３０３を備えており、サーバメール受信手段３０３は、クライアント端末１０１や、広域ネットワーク１０５を介して、少なくとも１以上の外部メールサーバ１０６と接続されている。
【００４６】
サーバメール受信手段３０３は、内部システムに存在するクライアント端末１０１や内部システム以外の外部システムに存在するクライアント端末から電子メールの受信を行う。
【００４７】
内部メールサーバ１０４は、パスワード設定判定手段３０４、パスワード記憶手段３０５、メール生成手段３０６、サーバメール送信手段３０７、パスワード通知メール生成手段３０８、及びパスワード通知メール送信手段３０９を備えている。
【００４８】
パスワード設定判定手段３０４は、サーバメール受信手段３０３、パスワード記憶手段３０５、メール生成手段３０６、及びパスワード通知メール生成手段３０８に接続されている。
【００４９】
パスワード設定判定手段３０４は、サーバメール受信手段３０３において電子メールを受信した旨の通知を受け取ると、当該電子メールの内容を解析するが、解析内容の概要としては、添付ファイルが存在する電子メールであれば、電子メールの宛先（ＣＣを含めても良い）を抽出し、この宛先に対応する所定のパスワードを特定するか、あるいは、自動でランダムにパスワードを生成する。
【００５０】
つまり、宛先に設定されている相手先に対しては、所定のパスワードを用いて、添付ファイルに対してパスワードを設定する運用を行っているようであれば、添付ファイルに設定するための所定のパスワードを特定し、所定のパスワードを用いる運用を行っていないようであれば、電子メールを送信する度に、自動でランダムにパスワードを生成する。
【００５１】
このような宛先に応じて設定すべくパスワードは、パスワード記憶手段３０５を構成するテーブルに予め記憶されており、このテーブルの構成例として、図８に示されるパスワードテーブル８００があげられる。
【００５２】
パスワードテーブル８００は、添付ファイルに所定のパスワードを設定する対象とすべく宛先を示すメールアドレス８０１、所定のパスワードを示す添付ファイル用パスワード８０２、添付ファイルに設定されたパスワードのみ通知する電子メールを送信した時の日付を示す利用日時８０３を含む構成を有する。
【００５３】
パスワード設定判定手段３０４は、抽出した宛先に対応する所定のパスワードがパスワード記憶手段３０５（パスワードテーブル８００）に存在するか否かの判定を行い、存在するようであれば、前述したように、所定のパスワードを用い、存在しないようであれば、自動でランダムにパスワードを生成する。
【００５４】
あるいは、存在するとしても、相互に、電子メールを送信する度に、自動でランダムに生成したパスワードを用いる運用を行い、存在しない場合、添付ファイルに対してパスワードを設定しない運用を取ることも可能であり、この場合、パスワードテーブル８００の添付ファイル用パスワード８０２には、自動でランダムにパスワードを生成する旨の情報を設定しておいても良い。
【００５５】
パスワード設定判定手段３０４は、電子メールの解析を行った後、抽出した宛先に対応するパスワードがパスワード記憶手段３０５に存在する場合、メール生成手段３０６に対して、パスワード、及び解析終了結果を通知し、存在しない場合、メール生成手段３０６に対して、解析終了結果を通知する。
【００５６】
また、抽出した宛先に対応する所定のパスワードがパスワード記憶手段３０５に存在する場合、パスワード通知メール生成手段３０８に対して、解析終了結果と共に、抽出した宛先、及びパスワード等を通知するが、これらの項目に限らず、送信先に通知を行いたい内容（後述）を電子メールから特定されうる限り、項目を通知することも可能である。
【００５７】
メール生成手段３０６は、サーバメール送信手段３０７とも接続されており、パスワード設定判定手段３０４によって、パスワード、及び解析終了結果の通知を受け取った場合、サーバメール受信手段３０３によって受信した電子メールの添付ファイルを抽出し、当該添付ファイルに対して、通知されたパスワードを設定して、再度、当該電子メールにパスワードが設定された添付ファイルを添付して、サーバメール送信手段３０７に出力する。
【００５８】
また、パスワード設定判定手段３０４によって、解析終了結果の通知のみを受け取った場合、サーバメール受信手段３０３によって受信した電子メールを、サーバメール送信手段３０７に出力する。
【００５９】
サーバメール送信手段３０７は、クライアント端末１０１や、広域ネットワーク１０５を介して、少なくとも１以上の外部メールサーバ１０６と接続されている。
【００６０】
サーバメール送信手段３０７は、メール生成手段３０６から、電子メールの出力を受け取ると、内部システムに存在するクライアント端末１０１や内部システム以外の外部システムに存在するクライアント端末に対して当該電子メールの送信を行う。
【００６１】
パスワード通知メール生成手段３０８は、パスワード通知メール送信手段３０９と接続されており、パスワード設定判定手段３０４から、解析終了結果と共に、抽出した宛先、及びパスワード等の通知を受け取ると、添付ファイルに設定されたパスワードのみを通知するための電子メールの生成を行う。
【００６２】
添付ファイルに設定されたパスワードのみ通知する電子メールの一例として、図６に示されるパスワード通知画面６００があげられ、パスワード通知画面６００は、電子メールの送信先アドレスを示す宛先６０１、ＣＣ（Carbon Copy）６０２、電子メールのタイトルを示す件名６０３、及び電子メール本文６０４を備えている。
【００６３】
宛先６０１及びＣＣ６０２は、記載順に、パスワード設定判定手段３０４から通知された宛先（メール作成画面５００の宛先５０１）及びＣＣ（メール作成画面５００のＣＣ５０２）が、この記載順に設定され、件名６０３には、本電子メールが、添付ファイルに設定されたパスワードのみ通知する電子メールであることを示す内容（例えば、パスワード通知）等を設定する。
【００６４】
また、電子メール本文６０４には、宛先に対応する名称や、パスワード設定判定手段３０４から通知されたパスワードを出力する。但し、前述したように、パスワード設定判定手段３０４から通知される情報として、サーバメール受信手段３０３によって受信した電子メールから抽出可能な情報、例えば、件名５０３に設定されたタイトルなど、添付ファイルが存在する電子メールを特定し易い情報を出力しても良い。
【００６５】
パスワード通知メール生成手段３０８は、添付ファイルに設定されたパスワードのみ通知する電子メールの生成が完了すると、パスワード通知メール送信手段３０９に対して、生成完了を通知する。
【００６６】
パスワード通知メール送信手段３０９は、クライアント端末１０１や、広域ネットワーク１０５を介して、少なくとも１以上の外部メールサーバ１０６と接続されている。
【００６７】
パスワード通知メール送信手段３０９は、パスワード通知メール生成手段３０８から、生成完了通知を受け取ると、内部システムに存在するクライアント端末１０１や内部システム以外の外部システムに存在するクライアント端末に対して添付ファイルに設定されたパスワードのみ通知する電子メールの送信を行う。
【００６８】
管理者用クライアント端末１０２は、パスワード設定手段３１０を備えており、パスワード設定手段３１０は、内部メールサーバ１０４と接続されており、宛先に応じたパスワードを設定するための画面（不図示）をディスプレイ装置２１０へ表示し、管理者へ入力を行わせる。
【００６９】
パスワード設定手段３１０によって入力されたパスワードは、ネットワーク１０３を介して、内部メールサーバ１０４へ送信され、パスワード記憶手段３０５（パスワードテーブル８００）へ記憶される。
【００７０】
つまり、パスワード設定手段３１０における宛先に応じたパスワードを設定するための画面（不図示）は、パスワードテーブル８００における各項目（少なくともメールアドレス８０１、及び添付ファイル用パスワード８０２の項目）を入力可能な構成を備えている。但し、レコードの初期登録時、あるいはレコードの変更時には、利用日時８０３については、空欄として設定する。
【００７１】
次に、図４には、本発明の実施形態に係る情報処理システムにおけるパスワード通知メールの送信処理を表すフローチャートが示されている。尚、各ステップで実行される処理については、内部メールサーバ１０４のＣＰＵ２０１の制御の下、処理が実行される。
【００７２】
ステップＳ１０１では、サーバメール受信手段３０３は、クライアント端末１０１のクライアントメール送信手段３０１によって送信された電子メールを受信し、ステップＳ１０２では、パスワード設定判定手段３０４は、ステップＳ１０１で受信した電子メールに添付ファイルが存在するか否かを判定する。
【００７３】
添付ファイルが存在すると判定した場合、ステップＳ１０３へ処理を進め、添付ファイルが存在すると判定しない場合、ステップＳ１１７へ処理を進める。
【００７４】
ステップＳ１０３では、パスワード設定判定手段３０４は、電子メールから宛先に関する情報を取得し、ステップＳ１０４では、パスワード設定判定手段３０４は、ステップＳ１０３において取得した宛先に該当するパスワードテーブル８００のメールアドレス８０１に対応する添付ファイル用パスワード８０２を取得して、当該宛先に対応するパスワードを特定する。尚、パスワードテーブル８００に宛先に該当するメールアドレス８０１が存在しない場合、当該宛先に対応するパスワードが存在しない旨を特定する。
【００７５】
ステップＳ１０５では、パスワード設定判定手段３０４は、ステップＳ１０４において特定したパスワードが所定のパスワードであるか否かを判定し、所定のパスワードであると判定した場合、ステップＳ１０６へ処理を進め、所定のパスワードであると判定しない場合、ステップＳ１１８へ処理を進める。
【００７６】
この判定方法としては、添付ファイル用パスワード８０２に所定のパスワードのみを設定しておくと共に、パスワードテーブル８００に存在しない宛先については、自動でランダムにパスワードを生成する場合、本ステップでは、添付ファイル用パスワード８０２に、宛先に対応する所定のパスワードが存在する場合、ステップＳ１０６へ処理を進め、存在しない場合、ステップＳ１１８へ処理を進める。
【００７７】
また、別の判定方法として、添付ファイル用パスワード８０２に所定のパスワード、あるいは自動でランダムにパスワードを生成する旨の情報を設定する場合、本ステップでは、添付ファイル用パスワード８０２に設定された情報が、所定のパスワードである場合、ステップＳ１０６へ処理を進め、自動でランダムにパスワードを生成する旨の情報である場合、ステップＳ１１８へ処理を進める。尚、この別の判定方法の場合、フローチャート上図示されてはいないが、パスワードテーブル８００に宛先が存在しない場合、ステップＳ１１７へ処理を進める。
【００７８】
ステップＳ１０６では、メール生成手段３０６は、ステップＳ１０１で受信した電子メールの添付ファイルを抽出し、ステップＳ１０７では、メール生成手段３０６は、ステップＳ１０６において抽出した添付ファイルに対して、ステップＳ１０４で特定したパスワードを設定する。
【００７９】
ステップＳ１０８では、メール生成手段３０６は、ステップＳ１０７においてパスワードが設定された添付ファイルを、電子メールに対して、再度、添付する。
【００８０】
ステップＳ１０９では、パスワード通知メール生成手段３０８は、宛先に対して、初めて、添付ファイルに設定されたパスワードのみ通知する電子メールを通知するか否かを判定し、初めて通知すると判定した場合、ステップＳ１１０へ処理を進め、初めて通知すると判定しない場合、ステップＳ１１３へ処理を進める。
【００８１】
このステップでは、電子メールを送信する度に、所定のパスワードの通知メールを送信せずに、１度（最初）、所定のパスワードを通知しておき、以後、通知メールの送信を停止することも可能である。
【００８２】
これによって、パスワード漏洩、電子メール受信数増加に伴う電子メールの見落とし、通信量の負荷軽減等の効果を奏する。
【００８３】
尚、この判定は、パスワードテーブル８００の利用日時８０３を参照することで、判定を行うことが可能であり、利用日時８０３が空欄として設定されていれば、初めて、添付ファイルに設定されたパスワードのみ通知する電子メールを通知すると判定し、ステップＳ１１０へ処理を進め、利用日時８０３に、日時が設定されていれば、ステップＳ１１３へ処理を進める。
【００８４】
尚、本ステップにおける判定は、初めて通知するか否かによって判定を行ったが、ユーザが、相互に、電子メールをやり取りする際に利用するパスワードを所定回数、通知したか否かによって判定を行っても良い。
【００８５】
この場合、パスワードテーブル８００において、利用回数の項目を追加し、パスワードを利用する都度、回数をインクリメントしても良い。例えば、ステップＳ１１２の処理を行った後、インクリメントを行う。
【００８６】
ステップＳ１１０では、パスワード通知メール生成手段３０８は、ステップＳ１０３で取得した宛先、ステップＳ１０４で特定したパスワードを用いて、所定のパスワードが出力された、添付ファイルに設定されたパスワードのみ通知する電子メールを生成する。この電子メールの１例は、前述した様に、図６に示す構成を有している。
【００８７】
ステップＳ１１１では、サーバメール送信手段３０７は、ステップＳ１０８で生成した電子メールを、宛先（ＣＣを含む）に対して送信し、その後、ステップＳ１１２では、サーバメール送信手段３０７は、ステップＳ１１０で生成した添付ファイルに設定されたパスワードのみ通知する電子メールを、宛先（ＣＣを含む）に対して送信する。また、本ステップでは、送信した日を利用日時８０３に記憶する。
【００８８】
ステップＳ１１３では、パスワード通知メール生成手段３０８は、所定のパスワードが前回利用された時から所定期間経過したか否かを判定し、所定期間経過したと判定した場合、ステップＳ１１４へ処理を進め、所定期間経過したと判定しない場合、ステップＳ１１７へ処理を進める。
【００８９】
ステップＳ１１４では、パスワード通知メール生成手段３０８は、ステップＳ１０３で取得した宛先、ステップＳ１０４で特定したパスワードを用いて、所定のパスワードが出力された、添付ファイルに設定されたパスワードのみ通知する電子メールを生成する。この電子メールの１例は、前述した様に、図６に示す構成を有している。本ステップでは、この構成に所定期間経過した旨を追加出力し、ユーザの混同を招くことを抑止しても良い。
【００９０】
ステップＳ１１５では、サーバメール送信手段３０７は、ステップＳ１０８で生成した電子メールを、宛先（ＣＣを含む）に対して送信し、その後、ステップＳ１１６では、サーバメール送信手段３０７は、ステップＳ１１４で生成した添付ファイルに設定されたパスワードのみ通知する電子メールを、宛先（ＣＣを含む）に対して送信する。また、本ステップでは、送信した日を利用日時８０３に記憶する。
【００９１】
ステップＳ１１７では、サーバメール送信手段３０７は、ステップＳ１０１で取得した電子メールを、宛先（ＣＣを含む）に対して送信する。
【００９２】
ステップＳ１１８では、パスワード通知メール生成手段３０８は、ワンタイムパスワード等のランダムなパスワードを生成し、ステップＳ１１９では、メール生成手段３０６は、ステップＳ１０１で受信した電子メールの添付ファイルを抽出し、ステップＳ１２０では、メール生成手段３０６は、ステップＳ１１９において抽出した添付ファイルに対して、ステップＳ１１８で生成したパスワードを設定する。
【００９３】
ステップＳ１２１では、メール生成手段３０６は、ステップＳ１０７においてパスワードが設定された添付ファイルを、電子メールに対して、再度、添付する。
【００９４】
ステップＳ１２２では、パスワード通知メール生成手段３０８は、ステップＳ１０３で取得した宛先、ステップＳ１１８で生成したパスワードを用いて、生成したパスワードが出力された、添付ファイルに設定されたパスワードのみ通知する電子メールを生成する。この電子メールの１例は、前述した様に、図７に示す構成を有している。
【００９５】
ステップＳ１２３では、サーバメール送信手段３０７は、ステップＳ１２１で生成した電子メールを、宛先（ＣＣを含む）に対して送信し、その後、ステップＳ１２４では、サーバメール送信手段３０７は、ステップＳ１２２で生成した添付ファイルに設定されたパスワードのみ通知する電子メールを、宛先（ＣＣを含む）に対して送信する。
【００９６】
尚、本発明の第１の実施形態では、宛先に対してのみ、パスワードの適用を行っているが、ＣＣに含まれるメールアドレスを対象にパスワードを適用しても良い。この場合、ステップＳ１０３において、パスワード設定判定手段３０４は、電子メールから宛先及びＣＣに設定されたメールアドレスを取得する。
【００９７】
ステップＳ１０４では、パスワード設定判定手段３０４は、ステップＳ１０３において取得した宛先、あるいはＣＣに設定されたメールアドレスに該当するパスワードテーブル８００のメールアドレスに対応する添付ファイル用パスワード８０２をそれぞれ取得して、当該宛先、あるいはＣＣに設定されたメールアドレスに対応するパスワードを特定する。
【００９８】
尚、パスワードテーブル８００に宛先、あるいはＣＣに設定されたメールアドレスに該当するメールアドレス８０１が存在しない場合、当該宛先、あるいはＣＣに設定されたメールアドレスに対応するパスワードが存在しない旨を特定する。
【００９９】
ステップＳ１０５以後の処理については、宛先、あるいはＣＣに設定されたメールアドレスの数の分だけ処理を行う。
【０１００】
つまり、添付ファイルに対して、宛先、あるいはＣＣに設定されたメールアドレスに対応するパスワードを設定し、パスワードが設定された添付ファイルを電子メールへ添付する。
【０１０１】
この際に、宛先、あるいはＣＣに設定されたメールアドレスの数の分だけ、パスワードを設定した添付ファイルが添付された電子メールを生成する。
【０１０２】
更に、宛先、あるいはＣＣに設定されたメールアドレスの数の分だけ、宛先、あるいはＣＣに設定されたメールアドレスに対応するパスワードに準じる、添付ファイルに設定されたパスワードのみ通知する電子メールを生成して、各宛先、あるいはＣＣに設定されたメールアドレスに送信する。
【０１０３】
このような態様を取る場合、基本的に、パスワードテーブル８００に宛先、あるいはＣＣに設定されたメールアドレスに該当するメールアドレス８０１が存在しない場合、ステップＳ１１８以後において、その存在しないと判定した、宛先、あるいはＣＣに設定されたメールアドレス、其々に対して、ランダムなパスワードを生成して、添付ファイルに設定されたパスワードのみ通知する電子メールを生成して、当該宛先、あるいは当該ＣＣに設定されたメールアドレスに送信する。
【０１０４】
また、宛先が複数存在する場合も同様に、宛先に設定されたメールアドレスの数の分だけ処理を行うことは、言うまでもない。ＣＣに設定されたメールアドレスが複数存在する場合も、同様である。
【０１０５】
［第２の実施形態］
【０１０６】
次に第２の実施形態に関して説明するが、第１の実施形態とほぼ同様な構成及び処理等をとるため、同一の構成及び処理については、同様な符号を用いて、以後、説明を行う。
【０１０７】
第１の実施形態においては、電子メールの送信先のアドレスに応じて、利用するパスワードを適用知していたが、第２の実施形態では、電子メールの送信元及び送信先のメールアドレスに応じて、利用するパスワードを適用する。
【０１０８】
第１の実施形態と異なる点は、まず、図８に示すパスワードテーブル８００の構成に対して、図９に示すようにメールアドレス_1９０１、メールアドレス_２９０２の項目を追加した点であり、メールアドレス_２９０２については、メールアドレス８０１と同一の項目である。つまり、図８に示すパスワードテーブル８００に対してメールアドレス_1９０１の項目を追加している。
【０１０９】
このパスワードテーブル９００を利用して、図４に示すパスワード通知メールの送信処理において、ステップＳ１０３では、パスワード設定判定手段３０４は、電子メールから宛先を取得する際に、宛先及び送信元のメールアドレスを取得する。
【０１１０】
ステップＳ１０４では、パスワード設定判定手段３０４は、ステップＳ１０３において取得した宛先及び送信元の組み合わせに該当するパスワードテーブル９００のメールアドレス_1９０１及びメールアドレス_２９０２に対応する添付ファイル用パスワード８０２を取得して、当該宛先に対応するパスワードを特定する。尚、パスワードテーブル９００に宛先及び送信元の組み合わせに該当するメールアドレス_1９０１及びメールアドレス_２９０２が存在しない場合、当該宛先及び送信元の組み合わせに対応するパスワードが存在しない旨を特定する。
【０１１１】
そして、ステップＳ１０７以後の処理では、ステップＳ１０４で特定した、宛先及び送信元の組み合わせに対応するパスワードを用いて処理を行う。
【０１１２】
以上、本発明に依れば、電子メールを送信した後、送信先のメールアドレスによって所定のパスワードを通知することで、電子メールの送受信を行う上で、柔軟な運用を行いつつ、セキュリティー向上を図ることができる。
【０１１３】
また、本発明は、例えば、方法、プログラムもしくは記憶媒体等としての実施態様をとることが可能である。
【０１１４】
この場合、記録媒体から読み出されたプログラム自体が本発明の新規な機能を実現することになり、そのプログラムを記憶した記録媒体は本発明を構成することになる。プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることができる。
【０１１５】
また、コンピュータが読み出したプログラムを実行することにより、前述した実施形態の機能が実現されるだけでなく、そのプログラムの指示に基づき、コンピュータで稼働しているＯＳ等が実際の処理の一部または全部を行い、その処理によって前述した実施形態の機能が実現される場合も含まれることは言うまでもない。
【０１１６】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１７】
また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１１８】
さらに、本発明を達成するためのプログラムをネットワーク上のサーバ，データベース等から通信プログラムによりダウンロードして読み出すことによって、そのシステム、あるいは装置が、本発明の効果を享受することが可能となる。なお、上述した各実施形態およびその変形例を組み合わせた構成も全て本発明に含まれるものである。
【符号の説明】
【０１１９】
１００    情報処理システム
１０１    クライアント端末
１０２    管理者用クライアント端末
１０３    ローカルエリアネットワーク（ＬＡＮ）
１０４    内部メールサーバ
１０５    広域ネットワーク
１０６    外部メールサーバ
２０１    ＣＰＵ
２０２    ＲＡＭ
２０３    ＲＯＭ
２０４    システムバス
２０５    入力コントローラ
２０６    ビデオコントローラ
２０７    メモリコントローラ
２０８    通信Ｉ／Ｆ（インターフェース）コントローラ
２０９    入力部
２１０    ディスプレイ装置
２１１    外部メモリ
【図１】
2014089535.tif 000003
【図２】
2014089535.tif 000004
【図３】
2014089535.tif 000005
【図４】
2014089535.tif 000006
【図５】
2014089535.tif 000007
【図６】
2014089535.tif 000008
【図７】
2014089535.tif 000009
【図８】
2014089535.tif 000010
【図９】
2014089535.tif 000011